(57)【特許請求の範囲】
【請求項１】
容器本体と蓋体とを開閉自在に連結し、かつ該蓋体の内面に鏡を備えてなる化粧料容器において、該蓋体が下側の蓋本体および上側の天板の２部品からなり、該蓋本体は、開口部を有する枠体状に形成され、該開口部には内方に向かって、その上に該鏡が載置されるとともに該蓋本体を下向きにさかさまにすることで該鏡が脱落する庇部が形成され、該庇部上に該鏡が載置された状態で該天板が該蓋本体上に当接されることで、該蓋本体および該天板の間に鏡を挟み込んで固定し、かつ該蓋本体および該天板の間に該蓋体で該容器本体を閉じた状態で該天板を上方へ持ち上げて該蓋本体から分離可能とするスリットを形成してなることを特徴とする化粧料容器。
【発明の詳細な説明】
【０００１】
【発明の属する技術分野】
本発明は、容器本体と蓋体とを開閉自在に連結し、かつ蓋体の内面に鏡を備えた化粧料容器に関する。
【０００２】
【従来の技術】
従来、この種の化粧料容器は、いずれも合成樹脂で成形された容器本体と蓋体とを主要部品として構成され、必要に応じて金属製部品が組み込まれているとともに、特に蓋体にはガラス製の鏡が脱落しないようにしっかりと接着して取り付けられている。
【０００３】
【発明が解決しようとする課題】
ところで最近にあっては、資源のリサイクルの観点から分別回収の必要性が叫ばれていて、化粧料容器にあってもこのような要請に応えることが望まれるが、捨てる際に、合成樹脂製の蓋体にしっかりと接着して固定されている鏡を剥がし取ることはきわめて煩わしいとともに、取り外すときに誤って鏡で手を切ってしまうおそれもあり、分解することが困難であるという課題があった。
【０００４】
本発明はかかる従来の課題を解決するためになされたもので、その目的は、鏡を蓋体から簡単かつ安全に取り外すことができ、分別回収の要請に応えることができる化粧料容器を提供することにある。
【０００５】
【課題を解決するための手段】
かかる目的を達成するために本発明に係る化粧料容器では、容器本体と蓋体とを開閉自在に連結し、かつ蓋体の内面に鏡を備えてなる化粧料容器において、蓋体が下側の蓋本体および上側の天板の２部品からなり、蓋本体は、開口部を有する枠体状に形成され、開口部には内方に向かって、その上に鏡が載置されるとともに蓋本体を下向きにさかさまにすることで鏡が脱落する庇部が形成され、庇部上に鏡が載置された状態で天板が蓋本体上に当接されることで、蓋本体および天板の間に鏡を挟み込んで固定し、かつ蓋本体および天板の間に蓋体で容器本体を閉じた状態で天板を上方へ持ち上げて蓋本体から分離可能とするスリットを形成してなることを特徴とする。
【０００６】
このような構成の化粧料容器によれば、蓋本体の庇部上に鏡を載置した状態で、上側の天板を下側の蓋本体に当接させることで、これにより鏡は接着されずにこれら蓋本体と天板との間に挟み込まれ、固定される。このような状態の化粧料容器を分別回収のために分解する場合には、蓋本体と天板との間のスリットを利用して天板を上方に持ち上げると、天板と蓋本体を分離することができるので、蓋本体と天板との間に挟み込まれた鏡が露出し、取り出し可能となる。この状態の化粧料容器をさかさまにすると、鏡は脱落し、化粧料容器から簡単かつ安全に取り外すことができるので、分別回収の要請に応えることができる。
【０００７】
【発明の実施の形態】
以下、本発明の好適な実施の形態を図に基づいて詳細に説明する。図１ないし図３は、本発明の第１実施形態に係る化粧料容器を示し、図４および図５は、本発明の第１実施形態に係る化粧料容器の変形例を示し、図６ないし図８は、本発明の第２実施形態に係る化粧料容器を示す。
【０００８】
本実施形態は基本的には、容器本体１０と蓋体２０とをそれぞれの後端縁部で開閉自在に連結し、かつ蓋体２０の内面に鏡２１を備えてなる化粧料容器において、蓋体２０が下側の蓋本体２２および上側の天板２３の２部品からなり、蓋本体２２は、開口部２５を有する枠体状に形成され、開口部２５には内方に向かって、その上に鏡２１が載置されるとともに蓋本体２２を下向きにさかさまにすることで鏡２１が脱落する庇部２６が形成され、庇部２６上に鏡２１が載置された状態で天板２３が蓋本体２２上に当接されることで、蓋本体２２および天板２３の間に鏡２１を挟み込んで固定し、かつ蓋本体２２および天板２３の間に蓋体２０で容器本体１０を閉じた状態で天板２３を上方へ持ち上げて蓋本体２２から分離可能とする操作スリット２４が形成されている。
【０００９】
本実施形態の化粧料容器は、図１および図２に示されるように合成樹脂製の容器本体１０および合成樹脂製の蓋体２０より構成され、これらは化粧料容器の後端部でピン１１によって開閉自在に枢着されている。容器本体１０の前端部には切欠凹所１２が形成され、その奥面には第１の係合突起１３が形成されている。さらに、容器本体１０には、化粧料を収納する化粧料収納部１４が形成されている。
【００１０】
蓋体２０は、容器本体１０の上面を覆うように形成され、合成樹脂製の蓋本体２２および合成樹脂製の天板２３の２部品からなっている。
【００１１】
蓋本体２２は、開口部２５を有する枠体状で、この開口部２５には、内方に向かって延長する環状の庇部２６が形成され、この庇部２６上に鏡２１が載置されるようになっている。そして、蓋本体２２上面の外周には段部２７が形成されている。
【００１２】
また、蓋本体２２の前端部には爪片２８が垂下形成され、爪片２８の下端内面には、容器本体１０の第１の係合突起１３と係合可能な第２の係合突起２９が一体的に形成されている。さらに、蓋本体２２の後方中央部にはブロック体３０が垂下形成され、容器本体１０と、それぞれの後端部でピン１１によって開閉自在に枢着されている。さらにまた、ブロック体３０の上方部の段部２７には切欠凹所３３が形成されている。
【００１３】
天板２３は、下面に凹所３４が形成され、その後端面中央部には切欠凹所３３に対応する位置に左右方向に延長する溝３８が形成されている。他方、蓋本体２２には、切欠凹所３３の左右両側に係合凹部３１，３１が形成され、また、前端面上方部に係合凹部３２が形成されている。そして、天板２３の凹所３４の前端部内面には、蓋本体２２の係合凹部３２と係合可能な係合突部３５が形成され、さらに、凹所３４の後端部内面には、蓋本体２２の係合凹部３１，３１と係合可能な係合突部３６，３６が形成されている。
【００１４】
上記のような構成の化粧料容器の蓋体２０にあっては、図２に示すように、蓋本体２２の環状の庇部２６上に鏡２１が載置された状態で、天板２３の下端面が蓋本体２２の段部２７に当接し、蓋本体２２の係合凹部３２と天板２３の係合突部３５が係合し、蓋本体２２の係合凹部３１，３１と天板２３の係合突部３６，３６が係合し、これにより、鏡２１は接着されずにこれら蓋本体２２と天板２３との間に挟み込まれ、固定されている。そして、天板２３に形成された溝３８は、蓋本体２２に形成された切欠凹所３３とともに、操作スリット２４を区画形成する。
【００１５】
このような状態の化粧料容器を分別回収のために分解する場合には、操作スリット２４内にコイン３７等を挿入し、これを内方に押圧すると、コイン３７の先端部が切欠凹所３３の奥面に当接する。この状態から、コイン３７を上方に持ち上げると天板２３は、段部２７とコイン３７との接点を支点として上方へ持ち上げられ、これにより蓋本体２２の係合凹部３１，３１と天板２３の係合突部３６，３６の係合が解除されるとともに、蓋本体２２の係合凹部３２と天板２３の係合突部３５の係合も解除され、これにより鏡２１が露出する。この状態の化粧料容器をさかさまにすると、鏡２１は脱落し、化粧料容器から容易かつ安全に取り出すことができる。
【００１６】
図４および図５は、本発明の第１実施形態に係る化粧料容器の変形例を示す。第１実施形態では、蓋本体２２と天板２３は、係合凹部３１，３２と係合突部３６，３５との係合により固定されていたが、本実施形態では、接着により、蓋本体４１と天板４２とが固定されている。
【００１７】
本実施形態の蓋体４０は、容器本体１０の上面を覆うように形成され、合成樹脂製の蓋本体４１および合成樹脂製の天板４２の２部品からなっている。
【００１８】
蓋本体４１は開口部４３を有する枠体状で、この開口部４３には、内方に向かって延長する環状の庇部４４が形成され、この庇部４４上に鏡２１が載置されている。そして、蓋本体４１上面の外周には段部４５が形成されている。
【００１９】
また、蓋本体４１の後方中央部にはブロック体４６が垂下形成され、容器本体１０と、それぞれの後端部でピン１１によって開閉自在に枢着されている。さらに、ブロック体４６の上端面中央部には、溝４７が形成されている。
【００２０】
天板４２は、下面に凹所４８が形成され、その後端部下面中央部には、蓋本体４１の溝４７に挿入可能な突部４９が形成されている。そして、この突部４９の下端部には、前方に向かって下方に傾斜したテーパ面５０が形成されている。
【００２１】
また、蓋本体４１の開口部４３周りの上端面と天板４２の凹所４８下面とは、超音波接着により接着固定され、蓋本体４１の庇部４４上に載置された鏡２１はこれにより接着されずに蓋本体４１と天板４２との間に挟み込まれ、固定されている。そして、蓋本体４１の溝４７は、天板４２の突部４９とともに、操作スリット５１を区画形成している。
【００２２】
上記のような構成の化粧料容器を分別回収のために分解する場合には、操作スリット５１内にコイン３７等を挿入し、これを内方に押圧すると、コイン３７の先端部が突部４９に形成されたテーパ面５０に当接し、ここに押上げ分力が働く。そして、この押上げ分力により蓋本体４１と天板４２との接着面に対する初期の剥がしがなされる。さらに、コイン３７を挿入すると、天板４２はテーパ面５０を介して上方へ持ち上げられる。この状態から、図５に示すように、コイン３７を下方に押し下げることにより、蓋本体４１と天板４２とが分離され、これにより鏡２１が露出する。この化粧料容器をさかさまにすると、鏡２１は脱落して化粧料容器から容易かつ安全に取り出すことができる。
【００２３】
なお、本実施形態では、蓋本体４１と天板４２とは、超音波接着により接着固定するようにしたが、この接着固定は、普通の接着剤によってもよい。その他の構成および作用・効果は、上記第１実施形態の場合と同様である。
【００２４】
図６ないし図８は、本発明の第２実施形態に係る化粧料容器を示す。
【００２５】
本実施形態の化粧料容器は、容器本体１０および蓋体６０より構成され、これらは化粧料容器の後端部でピン１１によって開閉自在に枢着されている。
【００２６】
蓋体６０は、容器本体１０の上面を覆うように形成され、合成樹脂製の蓋本体６１およびアルミ等金属製の天板６２の２部品からなっている。
【００２７】
蓋本体６１は、開口部６３を有する枠体状で、この開口部６３には、内方に向かって延長する環状の庇部６４が形成され、この庇部６４上に鏡２１が載置されるようになっている。そして、蓋本体６１上面の外周には段部６５が形成されている。
【００２８】
また、蓋本体６１の後方中央部にはブロック体６６が垂下形成され、容器本体１０と、それぞれの後端部でピン１１によって開閉自在に枢着されている。さらに、ブロック体６６の上端面中央部には、凹部６７が形成されている。この凹部６７の底面には、内方に向かって上方に傾斜するテーパ面６８が形成されている。
【００２９】
天板６２は、金属製で、下面に凹所６９が形成され、その凹所６９下面と蓋本体６１の開口部６３周りの上端面とは、接着剤により接着固定され、蓋本体６１の庇部６４上に載置された鏡２１はこれにより接着されずにこれら蓋本体６１と天板６２との間に挟み込まれ、固定されている。そして、蓋本体６１の凹部６７は、天板６２の下端面とともに、操作スリット７０を区画形成している。
【００３０】
そして、図７に示すように、上記のような構成の蓋体６０の操作スリット７０内にコイン３７等を挿入し、内方に向かって押圧すると、コイン３７の先端部はテーパ面６８に沿って斜め上方に挿入される。そして、挿入したコイン３７を上方に持ち上げることにより、天板６２は、上方へ持ち上げられ、図８に示すように、蓋本体６１と天板６２の接着が解除され、これにより鏡２１が露出する。この状態から化粧料容器をさかさまにすると、鏡２１は脱落し、化粧料容器から容易にかつ安全に取り出すことができる。
【００３１】
この際、操作スリット７０は上向きのテーパ面６８によって区画形成されているので、挿入したコイン３７を水平状態（図２参照）から持ち上げる場合より、押上げストロークを大きく確保することができ、操作性がよい。その他の構成および作用・効果は、上記第１実施形態の場合と同様である。
【００３２】
なお、上記実施形態に示されるように、操作スリットは、蓋体の天板側に形成しても、蓋本体側に形成しても、同様の効果を得ることができる。
【００３３】
【発明の効果】
以上説明したように本発明に係る化粧料容器にあっては、容器本体と蓋体とを開閉自在に連結し、かつ蓋体の内面に鏡を備えてなる化粧料容器において、蓋体が下側の蓋本体および上側の天板の２部品からなり、蓋本体は、開口部を有する枠体状に形成され、開口部には内方に向かって、その上に鏡が載置されるとともに蓋本体を下向きにさかさまにすることで鏡が脱落する庇部が形成され、庇部上に鏡が載置された状態で天板が蓋本体上に当接されることで、蓋本体および天板の間に鏡を挟み込んで固定し、かつ蓋本体および天板の間に蓋体で容器本体を閉じた状態で天板を上方へ持ち上げて蓋本体から分離可能とするスリットを形成してなることを特徴とするので、蓋本体と天板との間のスリットを利用して天板を上方に持ち上げると、蓋本体と天板を容易に分離することができる。これにより、蓋本体と天板との間に挟み込まれた鏡が露出し、取り出し可能となって、この状態の化粧料容器をさかさまにすると、鏡は脱落し、化粧料容器から簡単かつ安全に取り外すことができるので、分別回収の要請に応えることができる。
【図面の簡単な説明】
【図１】本発明の第１実施形態に係る化粧料容器の斜視図である。
【図２】本発明の第１実施形態に係る化粧料容器の縦断面図である。
【図３】本発明の第１実施形態に係る化粧料容器の蓋体の天板を分離した状態を示す縦断面図である。
【図４】本発明の第１実施形態に係る化粧料容器の変形例の要部縦断面図である。
【図５】本発明の第１実施形態に係る化粧料容器の変形例において蓋体の天板を分離した状態を示す要部縦断面図である。
【図６】本発明の第２実施形態に係る化粧料容器の斜視図である。
【図７】本発明の第２実施形態に係る化粧料容器の要部縦断面図である。
【図８】本発明の第２実施形態に係る化粧料容器の蓋体の天板を分離した状態を示す要部縦断面図である。
【符号の説明】
１０  容器本体                    ２０，４０，６０  蓋体
２１  鏡                          ２２，４１，６１  蓋本体
２３，４２，６２  天板            ２４，５１，７０  操作スリット
【図１】
0003904634.tif 000002
【図２】
0003904634.tif 000003
【図３】
0003904634.tif 000004
【図４】
0003904634.tif 000005
【図５】
0003904634.tif 000006
【図６】
0003904634.tif 000007
【図７】
0003904634.tif 000008
【図８】
0003904634.tif 000009